(57)【要約】【課題】故障の生ずる確率の低い簡単な排出経路を備えた浴槽水浄化システムを提供する。【解決手段】浴槽水中の髪の毛，湯垢，皮脂等の汚れ物質を、気泡および水流を用いて浴槽水面に集めた後、浴槽水面位置に設けた排出口から浴槽外に捨てるように構成し、排出口の二次側に、先端の開口８ａを上下動可能なホース８を設け、このホースの先端開口を上向きにしてホース８内に汚れ物質を含んだ浴槽水を溜めることができ、先端開口８ａを下向きにすることで汚れ物質を良好に排水することができる。【選択図】図４
2009131425.tif 000002
【特許請求の範囲】
【請求項１】
浴槽水中の髪の毛，湯垢，皮脂等の汚れ物質を、気泡および水流を用いて浴槽水面に集めた後、前記浴槽水面位置に設けた排出口から浴槽外に捨てるように構成した浴槽水浄化システムにおいて、
前記排出口の二次側に、先端の開口を上下動可能にホースを設け、該ホースの先端の開口を上向きにして該ホース内に浴槽水を溜めることができるように構成したことを特徴とする浴槽水浄化システム。
【請求項２】
浴槽水中の髪の毛，湯垢，皮脂等の汚れ物質を、気泡および水流を用いて浴槽水面に集めた後、前記浴槽水面位置に設けた排出口から浴槽外に捨てるように構成した浴槽水浄化システムにおいて、
前記排出口の二次側に、ダブルトラップ構造の管路を設けるとともに、該管路内の空気を吸引可能な吸引機構を設けたことを特徴とする浴槽水浄化システム。
【発明の詳細な説明】
【技術分野】
【０００１】
本発明は、浴槽水中の髪の毛，湯垢，皮脂等の汚れ物質を良好に浴槽外に捨てて、浴槽水を浄化できる浴槽水浄化システムに関するものである。
【背景技術】
【０００２】
従来、特許文献１に開示されているように、浴槽水位に応じて吸引部の高さを可変する吸引位置可変機構を有し浴槽水面の垢等の汚れを吸引する吸引部と、浴槽排水栓の機能を兼ね備えるとともに浴槽排出口に挿入脱着可能とした排出部と、吸引部および排出部を連通する連通部と、吸引部の開閉手段を備えて、吸引部から浴槽水表面の汚れを吸引し、排出部から排出するように構成した垢取り装置が存在する。
【特許文献１】特開２０００−２４４１８号公報
【発明の開示】
【発明が解決しようとする課題】
【０００３】
上記特許文献１に開示されている装置では、気泡で汚れ物質を浮かせて水流で集めるものであるが、その後の排水については言及されていないものであった。
【課題を解決するための手段】
【０００４】
本発明は、集められた汚れ物質を良好に浴槽外へ排出できる排出経路を備えた浴槽水浄化システムを提供することを目的の１つとし、この目的の少なくとも一部を達成するために以下の手段を採った。
本発明は、浴槽水中の髪の毛，湯垢，皮脂等の汚れ物質を、気泡および水流を用いて浴槽水面に集めた後、前記浴槽水面位置に設けた排出口から浴槽外に捨てるように構成した浴槽水浄化システムにおいて、前記排出口の二次側に、先端の開口を上下動可能にホースを設け、該ホースの先端の開口を上向きにして該ホース内に浴槽水を溜めることができるように構成したことを要旨とする。
【発明の効果】
【０００５】
本発明では、排出口の二次側にホースを設けた簡単な排出経路で構成したことにより、バルブを削減できて、バルブへのゴミ等の噛み込みによる故障の確率を低減することができ、ホースの先端の開口を上向きにして、ホース内に汚れ物質とともに浴槽水を溜めておくことができ、ホースの先端の開口を下向きにすることで、捨て水とともに浴槽水中の髪の毛，湯垢，皮脂等の汚れ物質を良好に浴槽外に排出することができるものとなる。
【０００６】
また、本発明は、浴槽水中の髪の毛，湯垢，皮脂等の汚れ物質を、気泡および水流を用いて浴槽水面に集めた後、前記浴槽水面位置に設けた排出口から浴槽外に捨てるように構成した浴槽水浄化システムにおいて、前記排出口の二次側に、ダブルトラップ構造の管路を設けるとともに、該管路内の空気を吸引可能な吸引機構を設けた構成とすることもできる。
こうすれば、ダブルトラップ構造の管路の空気を吸引機構を用いて吸引することにより、排出口の二次側のダブルトラップ構造の排出管路内にサイフォン現象を発生させて、捨て水とともに浴槽水中の髪の毛，湯垢，皮脂等の汚れ物質を浴槽外に良好に排出することができ、また、ダブルトラップ構造の排出管路内に空気を投入することにより、発生しているサイフォン現象を停止させて、浴槽水の排出を停止させることができ、簡単な構造で排出経路のバルブを削減できて、故障の確率を低減できるものとなる。
【発明を実施するための最良の形態】
【０００７】
次に、本発明を実施するための最良の形態を実施例を用いて説明する。
先ず、本発明の浴槽水浄化システムの動作を図１のフローチャートを用いて説明する。
図１において、システムが起動すると、微細気泡発生装置が起動して、浴槽内に溜められている浴槽水中に微細気泡を噴出させて、浴槽水中に微細気泡を充満させる。この微細気泡により、浴槽水中の髪の毛，湯垢，皮脂，ゴミ等の汚れ物質は、微細気泡とともに浴槽水面に浮上することとなり、この状態で微細気泡発生装置からの微細気泡の噴出を停止させる。
その後、水流発生装置を起動させ、水を浴槽水中に噴出させて浴槽水中に旋回流を発生させ、浮遊したゴミ等の汚れ物質を旋回流により排出口付近に移動させる。ここで排出装置を起動させて、排出口に集められた浮遊ゴミ等を捨て水とともに浴槽外に排出させ、システムを停止する。
【０００８】
このようにして浴槽水中の髪の毛，湯垢，皮脂，ゴミ等の汚れ物質を良好に浴槽外に排出して浴槽水を浄化することができるものであり、この浴槽水浄化システムの具体的な実施例を図２〜図５に示す。
図２は、内側から視た浴槽の要部斜視構成図であり、図３は、外側から視た浴槽の斜視構成図である。
【０００９】
浴槽１の長尺側の側面１ａには、気泡発生口（微細気泡発生装置）を兼用した水流発生口２（水流発生装置）が設けられており、この水流発生口２の上方に排出口３が開口されている。
この排出口３の内側には、上下動可能に排出口ゲート４が設けられており、この排出口ゲート４の上部には排出口３と整合する凹部４ａが形成され、この排出口ゲート４は浴槽１内に溜められている浴槽水の浮力で上下動できるように、水の比重よりも小さい比重の素材で形成しておくことができる。なお、排出口ゲート４は手動で上下動できるようにしておくこともできる。
【００１０】
排出口３の外側にはサブタンク５が設けられており、このサブタンク５内に排出口３から流入した浴槽水を溜めることができるものである。このサブタンク５の下面に循環管路６が接続されており、循環管路６の下流端は前記水流発生口２に接続されている。この循環管路６の途中にはポンプ７が設けられており、ポンプ７が作動することで、サブタンク５内の浴槽水を循環管路６を通し水流発生口２から浴槽１内に噴出させることができるように構成されている。
【００１１】
また、サブタンク５の側面には、上方へ向かって湾曲状に立ち上げてホース８が接続されており、ホース８の上端は自由端となっており開口８ａが形成されている。
このホース８は排出装置を構成するものであり、可撓性または蛇腹状のもので構成することができる。また、ホース８は、サブタンク５側の根元を中心として上下方向に回動できるように構成しておくこともできる。
なお、本例では、水流発生口２は気泡発生口と兼用されているが、気泡発生口（微細気泡発生装置）を別途、浴槽１の側面１ａあるいは底面に設けて、気泡発生口に別途ポンプを接続した構成であっても良い。
【００１２】
このような構成において、気泡発生口から気泡が噴出されて、浴槽水中の髪の毛，湯垢，皮脂，ゴミ等が気泡とともに浮上して浴槽水面に集められるが、浴槽水がサブタンク５内から循環管路６を通して水流発生口２から浴槽１内に噴出されて、噴出された水流により浴槽１内で旋回流が発生する。
この旋回流により、ゴミ等の汚れ物質が排出口３付近に集められて、浴槽水面の浴槽水が排出口３からサブタンク５内に流れ、サブタンク５内に浴槽水とともに汚れ物質が流入されるものである。
【００１３】
水流発生口２からの水流の噴出を止めるまでは、図４のように、排出装置を構成するホース８は開口８ａを上向きに保持しておく。
なお、図４では、ホース８の開口８ａ付近にレバー９の下端が連結されており、このレバー９を手動または電動で上下動させて操作できるように構成されている。
図４の状態では、ホース８内に浴槽水とともに髪の毛，湯垢，皮脂等の汚れ物質が溜まっており、先端開口８ａが浴槽１内の浴槽水面の水位よりも上方位置に保持されている限り、先端開口８ａから浴槽水が漏れることはない。
【００１４】
この図４の状態から図５のようにレバー９を下方側へ押し下げると、これに伴いホース８は根元を中心として回転するか、或いは曲げられて開口８ａが下向き状態となり、この状態では、ホース８内に溜まっている汚れ物質を含んだ浴槽水が良好に排出されるものであり、汚れ物質を排出した後に、再びレバー９を図４のように押し上げて、ホース８の先端開口８ａを上向きにして保持しておくことができるものである。
このように、ホース８を可撓性または蛇腹状のもので構成するか、或いはホース８をサブタンク５側の根元を中心として上下方向に回動できるように構成しておけば、簡単な構造で汚れ物質を排出することができ、排出経路はホース８のみであり、バルブ等が不要で、バルブ等へのゴミの噛み込み等による故障も生じることはない。
【００１５】
次に、図６は、排出装置の別例を示す斜視構成図である。
図６では、浴槽１の短尺側の側面１ａに気泡発生口を兼用した水流発生口２を設け、その上方に排出口３を設けたものであり、水流発生口２にはポンプ７を備えた循環管路６が接続されている。
また、排出口３には外側から第１トラップ管路１１が接続されており、この第１トラップ管路１１の下流側には第２トラップ管路１２が接続され、第２トラップ管路１２の下流に垂下状に排出管路１３が接続されて構成されており、第１トラップ管路１１と第２トラップ管路１２でダブルトラップ構造の排出装置１０が形成されている。
【００１６】
第１トラップ管路１１は、排出口３から上方へ立ち上がる立上部１１ａと、立上部１１ａの上端で逆Ｕ字状に曲げられて下側に向かって垂設された垂下部１１ｂで構成されており、第１トラップ管路１１の垂下部１１ｂには、横方向へ水平に延びて連通管１４が接続されており、連通管１４の先端には開閉可能にバルブ１５が設けられている。また、連通管１４から上方へ立ち上げてフロート弁１６が設けられ、フロート弁１６の上端に吸気管１７が接続されており、この吸気管１７には図示しないエアポンプが連通接続されている。
この連通管１４のバルブ１５とフロート弁１６と吸気管１７と図示しないエアポンプで吸引機構１０ａが構成されている。
【００１７】
このような構成においては、浴槽水中の髪の毛，湯垢，皮脂等の汚れ物質が気泡により浮上し、水流発生口２から噴出される水流による旋回流で、汚れ物質が排出口３に集められるが、この時にエアポンプを作動させて吸気管１７から第１トラップ管路１１内の空気を吸引することにより、第１トラップ管路１１内にサイフォン現象を発生させることができ、このサイフォン現象により、排出口３から浴槽水とともに汚れ物質を第１トラップ管路１１側へ強制的に吸引し、排出管路１３から排出することができるものとなる。
汚れ物質が排出管路１３から排出された頃合にバルブ１５を開くことにより、第１トラップ管路１１および第２トラップ管路１２で構成されるダブルトラップ管路内に空気が入り、サイフォン現象が終了し、この状態で排水が停止されることとなる。
【００１８】
このように吸引機構１０ａをダブルトラップ構造の管路に接続して排出装置１０を構成することにより、吸引機構１０ａによりダブルトラップ管路内の空気を吸引して、管路内にサイフォン現象を強制的に発生させ、浴槽水をゴミ等とともに浴槽外に排出できるものであり、ダブルトラップ管路内に空気をバルブ１５から投入することによりサイフォン現象を停止させて、浴槽水の浴槽外への排出を停止させることができ、簡単な管路構成で故障の生じない排出装置とすることができるものである。
なお、フロート弁１６を設けたのは、吸気管１７側に浴槽排水が流入するのを防止するためである。
【図面の簡単な説明】
【００１９】
【図１】浴槽浄化システムの動作を説明するフローチャート図である。
【図２】浴槽を内側から視た要部斜視構成図である。
【図３】浴槽を外側から視た要部斜視構成図である。
【図４】排水装置を構成するホースを上向きにした止水状態の浴槽を外側から視た斜視構成図である。
【図５】ホースを下向きにした排水状態の浴槽を外側から視た斜視構成図である。
【図６】排水装置の別例を示す浴槽を外側から視た斜視構成図である。
【符号の説明】
【００２０】
１  浴槽
１ａ  側面
２  水流発生口（水流発生装置）
３  排出口
４  排出口ゲート
５  サブタンク
６  循環管路
７  ポンプ
８  ホース（排出装置）
８ａ  開口
９  レバー
１０  排出装置
１１  第１トラップ管路
１２  第２トラップ管路
１３  排出管路
１４  連通管
１５  バルブ
１６  フロート弁
１７  吸気管
【図１】
2009131425.tif 000003
【図２】
2009131425.tif 000004
【図３】
2009131425.tif 000005
【図４】
2009131425.tif 000006
【図５】
2009131425.tif 000007
【図６】
2009131425.tif 000008